(57)【要約】【課題】ハンマ体をフレーム内に前側から挿入可能にして、ハンマ体の組み付け作業を容易にすることができる。【解決手段】本鍵盤装置は、樹脂で一体に形成されるフレーム４０に、それぞれ複数の白鍵１０、黒鍵２０、ハンマ体３０が配設されてなる。鍵１０、２０は、左右方向に沿って並列的に配列され、ハンマ体３０は、対応する鍵の下方に配設される。フレーム４０は、前側に開口する開口部ＯＰを有し、ストッパ取付部４７の下面４７ａ、前側支持部４１の上面４１ａが、それぞれ、開口部ＯＰの上限位置、下限位置となる。上下方向において、これら上限位置、下限位置の間に、ハンマ回動軸４３が位置する。ハンマ体３０をハンマ回動軸４３に支持させる際、前側から開口部ＯＰを通じてハンマ体３０をフレーム４０の内部に挿入することが可能である。【選択図】図３
2010078791.tif 000002
【特許請求の範囲】
【請求項１】
それぞれ複数の鍵支持部及びハンマ支持部を有し、樹脂で一体に形成され、楽器本体に支持されるフレームと、
押鍵操作により各々が揺動するように前記鍵支持部に支持され、並列的に配列された複数の鍵と、
前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体とを有し、
前記フレームは、少なくとも前記ハンマ支持部より奏者側である前側に開口する開口部を有し、上下方向において、前記開口部の上限位置と下限位置との間に前記ハンマ支持部が位置し、前記ハンマ体を前記ハンマ支持部に支持させる際、前側から前記開口部を通じて前記ハンマ体を前記フレームの内部に挿入することが可能なように構成されていることを特徴とする鍵盤装置。
【請求項２】
前記ハンマ体が、前記ハンマ支持部に支持され、該ハンマ体の長手方向が前後方向に平行になった状態における前記ハンマ体の上下方向における最大縦幅に比し、前記開口部の前記上限位置と前記下限位置との上下方向における間隔の方が大きいことを特徴とする請求項１記載の鍵盤装置。
【請求項３】
前記ハンマ支持部に支持された前記ハンマ体の鍵並び方向における最大横幅に比し、前記開口部の鍵並び方向における幅の方が大きいことを特徴とする請求項１または２記載の鍵盤装置。
【請求項４】
前記開口部は、鍵並び方向において、複数の鍵域に亘って連続して開口していることを特徴とする請求項１〜３のいずれか１項に記載の鍵盤装置。
【請求項５】
前記開口部の前記上限位置のうちの最前位置は前記ハンマ支持部よりも前方に位置し、側面視において、前記最前位置と前記ハンマ支持部とを結ぶ線分と前記ハンマ支持部を通る前後方向に平行な線分とが成す鋭角が１５°以上であることを特徴とする請求項１〜４のいずれか１項に記載の鍵盤装置。
【請求項６】
前記ハンマ体には、後方に開口した係合部が形成され、該係合部が前記ハンマ支持部に係合することで、前記ハンマ支持部に前記ハンマ体が回動自在に支持されるように構成され、前記ハンマ体を前記ハンマ支持部に支持させる際、前記ハンマ体を後方に平行移動させて前記係合部を前記ハンマ支持部に係合させることが可能であることを特徴とする請求項１〜５のいずれか１項に記載の鍵盤装置。
【請求項７】
前記開口部の前記上限位置は、前記下限位置及び前記ハンマ支持部のいずれよりも前方に位置し、前記上限位置と前記下限位置との間は、前方だけでなく下方にも開口していることを特徴とする請求項１〜６のいずれか１項に記載の鍵盤装置。
【請求項８】
前記フレームには、前記複数の各鍵の揺動動作をガイドする鍵ガイド部が前記各鍵に対応して設けられ、前記鍵ガイド部は、前記ハンマ支持部よりも前方で且つ前記開口部の前記上限位置よりも上方に設けられたことを特徴とする請求項１〜７のいずれか１項に記載の鍵盤装置。
【請求項９】
前記各ハンマ体は、対応する鍵の押鍵往行程において、その後部が上方に回動するように構成され、前記開口部の前記上限位置にはストッパ部が設けられ、前記ストッパ部の下面が前記各ハンマ体と当接することで、押鍵往行程における前記各ハンマ体の回動初期位置が規制されるように構成されたことを特徴とする請求項１〜８のいずれか１項に記載の鍵盤装置。
【発明の詳細な説明】
【技術分野】
【０００１】
本発明は、鍵に連動して回動して鍵に慣性を付与するハンマ体がフレームに支持される鍵盤装置に関する。
【背景技術】
【０００２】
従来、鍵に連動して回動し、対応する鍵の揺動動作に対して慣性を付与する複数のハンマ体が、フレームに支持された鍵盤装置が知られている。この種の装置では、フレームにハンマ支持部が設けられ、各ハンマ体がハンマ支持部に回動自在なように組み付けられる（下記特許文献１〜３）。
【０００３】
ハンマ体のフレームへの組み付けについては、下記特許文献１の鍵盤装置では、フレームにおいてハンマ体毎に設けられたフレームのスリットにハンマ体の質量部を挿入し、潜らせながら装着する（図８等参照）。ハンマ体は、上方から挿入される。
【０００４】
下記特許文献２の鍵盤装置では、ハンマ体の鍵当接部をフレームのスリット状切欠き部に前側から挿入した後、ハンマ体を逆側に戻すようにして、ハンマ支持部に係合させる（図４等参照）。ハンマ体は、下方から挿入される。
【０００５】
下記特許文献３の鍵盤装置では、ハンマ体を前方上方から挿入し、白鍵の前側の鍵ガイドを乗り越えさせながら、ハンマ支持部に係合させる。
【特許文献１】実開平６−２５８８４号公報
【特許文献２】特開２００４−２２６６８７号公報
【特許文献３】特開２００７−２５５８９号公報
【発明の開示】
【発明が解決しようとする課題】
【０００６】
しかしながら、上記特許文献１、２、３の鍵盤装置では、フレームの形状や鍵ガイド等の障害物による制約から、ハンマ体は、フレームに対し、上方や下方から挿入しなければならない。
【０００７】
特に、上記特許文献１では、ハンマ体の挿入の向きを変えながら組み付ける必要があり、向きの変動幅も大きい。また、上記特許文献２では、ハンマ体の挿入の向きを変えるだけでなく、移動方向も一旦逆向きにする必要がある。また、上記特許文献３では、鍵ガイドが邪魔になるため、ハンマ体の挿入角度を変えながら組み付ける必要があり、角度の変化幅も大きい。
【０００８】
そのため、いずれの鍵盤装置においても、フレームへのハンマ体の組み付け作業が容易でないという問題があった。
【０００９】
本発明は上記従来技術の問題を解決するためになされたものであり、その目的は、ハンマ体をフレーム内に前側から挿入可能にして、ハンマ体の組み付け作業を容易にすることができる鍵盤装置を提供することにある。
【課題を解決するための手段】
【００１０】
上記目的を達成するために本発明の請求項１の鍵盤装置は、それぞれ複数の鍵支持部（５３）及びハンマ支持部（４３）を有し、樹脂で一体に形成され、楽器本体（１９）に支持されるフレーム（４０）と、押鍵操作により各々が揺動するように前記鍵支持部に支持され、並列的に配列された複数の鍵（１０、２０）と、前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体（３０）とを有し、前記フレームは、少なくとも前記ハンマ支持部より奏者側である前側に開口する開口部（ＯＰ）を有し、上下方向において、前記開口部の上限位置（４７ａ）と下限位置（４１ａ）との間に前記ハンマ支持部が位置し、前記ハンマ体を前記ハンマ支持部に支持させる際、前側から前記開口部を通じて前記ハンマ体を前記フレームの内部に挿入することが可能なように構成されている。
【００１１】
好ましくは、前記ハンマ体が、前記ハンマ支持部に支持され、該ハンマ体の長手方向が前後方向に平行になった状態における前記ハンマ体の上下方向における最大縦幅（Ｈｈ）に比し、前記開口部の前記上限位置と前記下限位置との上下方向における間隔（Ｈｆ）の方が大きい（請求項２）。
【００１２】
好ましくは、前記ハンマ支持部に支持された前記ハンマ体の鍵並び方向における最大横幅（Ｂｈ）に比し、前記開口部の鍵並び方向における幅（Ｂｆ）の方が大きい（請求項３）。
【００１３】
好ましくは、前記開口部は、鍵並び方向において、複数の鍵域に亘って連続して開口している（請求項４）。
【００１４】
好ましくは、前記開口部の前記上限位置のうちの最前位置（Ｐ１）は前記ハンマ支持部よりも前方に位置し、側面視において、前記最前位置と前記ハンマ支持部とを結ぶ線分（Ｌ１）と前記ハンマ支持部を通る前後方向に平行な線分（Ｌ０）とが成す鋭角が１５°以上である（請求項５）。
【００１５】
好ましくは、前記ハンマ体には、後方に開口した係合部（３１）が形成され、該係合部が前記ハンマ支持部に係合することで、前記ハンマ支持部に前記ハンマ体が回動自在に支持されるように構成され、前記ハンマ体を前記ハンマ支持部に支持させる際、前記ハンマ体を後方に平行移動させて前記係合部を前記ハンマ支持部に係合させることが可能である（請求項６）。
【００１６】
好ましくは、前記開口部の前記上限位置は、前記下限位置及び前記ハンマ支持部のいずれよりも前方に位置し、前記上限位置と前記下限位置との間は、前方だけでなく下方にも開口している（請求項７）。
【００１７】
好ましくは、前記フレームには、前記複数の各鍵の揺動動作をガイドする鍵ガイド部（５０）が前記各鍵に対応して設けられ、前記鍵ガイド部は、前記ハンマ支持部よりも前方で且つ前記開口部の前記上限位置よりも上方に設けられる（請求項８）。
【００１８】
好ましくは、前記各ハンマ体は、対応する鍵の押鍵往行程において、その後部（３０ｒ）が上方に回動するように構成され、前記開口部の前記上限位置にはストッパ部（４８）が設けられ、前記ストッパ部の下面（４８ａ）が前記各ハンマ体と当接することで、押鍵往行程における前記各ハンマ体の回動初期位置が規制されるように構成される（請求項９）。
【００１９】
なお、上記括弧内の符号は例示である。
【発明の効果】
【００２０】
本発明の請求項１によれば、ハンマ体をフレーム内に前側から挿入可能にして、ハンマ体の組み付け作業を容易にすることができる。
【００２１】
請求項２によれば、ハンマ体の組み付け時において、ハンマ体を、その回動方向における角度を変えながら挿入する必要がなく、ハンマ体の長手方向が前後方向に平行な状態のままフレームの内部に挿入することが容易となる。
【００２２】
請求項３によれば、ハンマ体の組み付け時において、ハンマ体を、その鍵並び方向における角度を変えながら挿入する必要がなく、ハンマ体の長手方向が前後方向に平行な状態のままフレームの内部に挿入することが容易となる。
【００２３】
請求項４によれば、十分な開口面積を確保して組み付け作業を容易にすると共に、複数のハンマ体を同時にフレームの内部に挿入することが可能となる。
【００２４】
請求項５によれば、ハンマ体の挿入や組み付け作業が行いやすい。
【００２５】
請求項６によれば、ハンマ体の姿勢をあまり変えることなくほぼ平行移動だけで組み付けることが容易である。
【００２６】
請求項７によれば、ハンマ体の挿入や組み付け作業が一層行いやすい。
【００２７】
請求項８によれば、ハンマ体の組み付け時に鍵ガイド部が邪魔になることがなく、ハンマ体の挿入や組み付け作業が一層行いやすい。
【００２８】
請求項９によれば、ストッパ部の下方に開口部の大半が形成されるので、ハンマ体の組み付け時にストッパ部が邪魔になりにくい。
【発明を実施するための最良の形態】
【００２９】
以下、本発明の実施の形態を図面を参照して説明する。
【００３０】
図１は、本発明の一実施の形態に係る鍵盤装置の内部構成を示す側面図である。本鍵盤装置は、例えば、電子鍵盤楽器に適用され、樹脂で一体に形成されるフレーム４０に、それぞれ複数の白鍵１０、黒鍵２０、ハンマ体３０が配設されてなる。本鍵盤装置に対して、奏者が位置する側を前側とする。従って、同図左方、右方がそれぞれ前方、後方である。また、左右方向については、奏者からみた方向を基準とする。
【００３１】
白鍵１０、黒鍵２０は、左右方向（「鍵並び方向」とも称する）に沿ってそれぞれ複数が並列的に配列される。ハンマ体３０は、鍵並び方向に沿って複数が並列的に配列される。ハンマ体３０は、各鍵に対応して設けられ、それぞれ対応する鍵の下方に配設され、対応する鍵の揺動動作に対して慣性を付与する。
【００３２】
図２（ａ）、（ｂ）は、フレーム４０の平面図、正面図である。図３は、図２（ａ）のＡ−Ａ線に沿う断面図である。図２（ａ）、（ｂ）では、フレーム４０は、１オクターブ分しか示していないが、複数の鍵域に亘る長さであればよく、全鍵幅に構成してもよい。
【００３３】
白鍵１０、黒鍵２０は、各々、フレーム４０の鍵支持部５３を中心に前端部が上下方向に揺動自在に鍵支持部５３に支持される。鍵支持部５３は、鍵１０、２０を揺動自在に支持できればよく、ヒンジタイプ等でもよく、その構成は問わない。ハンマ体３０は、各々、フレーム４０のハンマ回動軸４３を中心に上下方向に回動（前端部及び後端部が上下に揺動）自在にハンマ回動軸４３に支持される。白鍵１０の前部には、垂下片１１が下方に垂設され、垂下片１１の下端部が、緩衝部材を含むハンマ駆動部１２となっている。黒鍵２０も同様である。
【００３４】
図１に示すように、ハンマ体３０は、ハンマ回動軸４３と係合する係合凹部３１を有し、係合凹部３１より前方の前方延設部３０ｆと、係合凹部３１より後方の後方延設部３０ｒとを有して棒状に構成される。係合凹部３１は、後方に開口している。後方延設部３０ｒの後端部には、ハンマ体３０の全体の質量のうちのほとんどが集中している質量部３２が設けられる。前方延設部３０ｆには、長い下側係合部３３と短い上側係合部３４とからなる蟹のハサミ状の係合部が形成されている。下側係合部３３及び上側係合部３４は、対応する白鍵１０、黒鍵２０のハンマ駆動部１２と常に係合状態にあり、ハンマ体３０が、対応する鍵に連動して往方向及び復方向の双方に回動するようになっている。
【００３５】
図１においては、白鍵１０、黒鍵２０、ハンマ体３０は、押鍵されていない初期状態が示される。白鍵１０、ハンマ体３０については、押鍵終了状態のものが、白鍵１０−Ｅ、ハンマ体３０−Ｅとして併せて示されている。
【００３６】
フレーム４０は、射出成形による一体成形で製造される。フレーム４０は、棚板１９（図１、図３参照）の上に配設固定される。棚板１９は、楽器本体の一部であればよく、呼称は問わず、下ケースの底板等であってもよい。後に詳述するように、フレーム４０は、鍵並び方向全長に亘って一体に延設される部分を、鍵並び方向において互いに離間した複数の縦リブ４６で接続した構成を採る。
【００３７】
まず、図３に示すように、フレーム４０において、ストッパ取付部４７が最前部に設けられる。ストッパ取付部４７より後方で上方には、鍵ガイド連結部４９が設けられる。鍵ガイド連結部４９よりやや後方で且つ最下部には、前側支持部４１が設けられる。フレーム４０の後部の最下部には、後側支持部４５が設けられる。前側支持部４１及び後側支持部４５の下端は、棚板１９に直接当接する。
【００３８】
後側支持部４５から後側壁部６０が、前側への段差を形成して垂直に上方に立ち上がり、後側壁部６０の上部から、前方に鍵支持部連結部５１が一体に延設される。鍵支持部連結部５１の前部から、下側への段差を形成して、板状部５４が、前方やや斜め下方に向かって延設されている。板状部５４は、フレーム４０の前後方向中間付近であって、前側支持部４１よりも後方の位置まで延設されている。
【００３９】
特に、ストッパ取付部４７、鍵ガイド連結部４９、前側支持部４１、鍵支持部連結部５１、板状部５４は、上記した、「鍵並び方向全長に亘って一体に延設される部分」に該当する（図２（ａ）、（ｂ）参照）。これらと後側支持部４５及び後側壁部６０が、互いに縦リブ４６で一体に接続されている（図３参照）。縦リブ４６は、複数鍵に対して１つ設けられ、図２に示すように、一例として、１オクターブあたり２〜３個設けられるが、数は問わない。
【００４０】
図１に示すように、ストッパ取付部４７の下面４７ａには、ハンマ体３０の下側係合部３３と当接して、押鍵往行程におけるハンマ体３０の回動初期位置を規制するための初期ストッパ４８が取り付けられる。非押鍵状態では、ハンマ体３０は、質量部３２の重みによって後方延設部３０ｒが下がるので、初期ストッパ４８の下面４８ａに下側係合部３３が常時当接している。一方、下側係合部３３と白鍵１０、黒鍵２０のハンマ駆動部１２とは常時係合している。そのため、ハンマ体３０の回動初期位置が規制されることで、白鍵１０、黒鍵２０の初期位置である非押鍵位置も規制され、白鍵１０、黒鍵２０の各押鍵面位置が面一に揃うようになっている。
【００４１】
板状部５４の下面には、ハンマ体３０の後方延設部３０ｒの質量部３２と当接してハンマ体３０の回動終了位置を規制するための終了ストッパ５５が取り付けられる。押鍵操作により、鍵１０、２０のハンマ駆動部１２がハンマ体３０の下側係合部３３を駆動し、ハンマ体３０が図１の反時計方向に回動する。そして、後方延設部３０ｒが終了ストッパ５５に当接すると、押鍵往行程における鍵１０、２０及びハンマ体３０の回動終了位置が規制される。押鍵終了状態から離鍵操作すると、復行程となり、ハンマ体３０は、質量部３２の重みによって時計方向に回動し、初期位置に復帰する。
【００４２】
初期ストッパ４８、終了ストッパ５５は、いずれも、フェルト等の緩衝機能を有する部材で構成され、鍵並び方向全長に亘って一体に設けられるが、ハンマ体３０毎に設けてもよい。なお、初期ストッパ４８、終了ストッパ５５としては、エラストマ等の軟質材を採用し、それぞれ２色成形による一体成形でフレーム４０と一体に形成してもよい。板状部５４の上面には、複数の基板取付部５６、５７が一体に形成され（図２も参照）、基板取付部５６、５７に、基板５８が螺合固定される。
【００４３】
基板５８上には、各鍵に対応する鍵スイッチ５９等が配設される。鍵スイッチ５９は、対応する鍵１０、２０に押圧されて、当該鍵１０、２０の押鍵動作を検出する。楽器本体には、不図示の楽音発生装置が備えられ、鍵スイッチ５９の検出結果に基づいて楽音が発生するようになっている。
【００４４】
図１〜図３に示すように、鍵ガイド連結部４９からは、鍵ガイド部５０が上方に一体に突設形成される。鍵ガイド部５０は、各鍵に対応して設けられ、対応する鍵の揺動動作をガイドする。鍵ガイド部５０としては、フレーム４０とは別体に形成したものを固着して設けてもよい。前側支持部４１の上面４１ａからは、一対の突設片４２が各ハンマ体３０に対応して突設形成されている。一対の突設片４２の間に、上記したハンマ回動軸４３が形成される。
【００４５】
前側支持部４１にはまた、複数のボス４４が一体に形成されている。さらに、図示はしないが、後側支持部４５にも、複数のボスが一体に形成されている。これらボス４４等に設けられた不図示のネジ穴に、下方から棚板１９を螺合固定することで、楽器本体にフレーム４０が固定される。鍵並び方向におけるボス４４の形成位置は、縦リブ４６の形成位置と一致させてある。これにより、フレーム４０にかかる各種の力が、縦リブ４６及びボス４４を通じて棚板１９に、直接的にかかりやすくなっている。
【００４６】
鍵支持部連結部５１の上面には、一対の突設片５２が、各鍵に対応して鍵支持部連結部５１に一体に突設形成されている。一対の突設片５２の互いに対向する面にはそれぞれ、上記した鍵支持部５３が形成されている。
【００４７】
上記した初期ストッパ４８、鍵ガイド部５０、ハンマ回動軸４３、鍵支持部５３、鍵スイッチ５９、終了ストッパ５５は、いずれも、本鍵盤装置の使用時に、本鍵盤装置の構成要素のうちフレーム４０以外の構成要素と当接係合するものであり、フレーム４０に、鍵１０、２０及びハンマ体３０を適切に支持する鍵フレーム乃至ハンマフレームとしての機能を果たさせるための構成要素である。これらの構成要素を、「フレーム機能部」と呼称する。前側支持部４１、後側支持部４５についても、それら自身が棚板１９に直接当接して固定される機能を有するので、「フレーム機能部」にも相当する。
【００４８】
一方、鍵ガイド連結部４９、前側支持部４１、鍵支持部連結部５１、板状部５４は、複数の同じ構成要素同士（鍵ガイド部５０、ハンマ回動軸４３、鍵支持部５３、鍵スイッチ５９）を鍵並び方向に連結する役割を果たす。ストッパ取付部４７は、初期ストッパ４８が取り付けられる部分であって、鍵並び方向において一体に連続する部分である。板状部５４は、終了ストッパ５５が取り付けられると共に、基板取付部５６、５７を介して基板５８が取り付けられる部分であって、鍵並び方向において一体に連続する部分である。前側支持部４１、後側支持部４５はそれぞれ、棚板１９と当接して、押鍵時等に棚板１９から反力を受ける部分であって、鍵並び方向において一体に連続して形成された部分である。これら鍵ガイド連結部４９、前側支持部４１、鍵支持部連結部５１、板状部５４、ストッパ取付部４７、後側支持部４５を、「一体連続部」と呼称する。
【００４９】
この「一体連続部」を定義すると、「フレーム４０に一体に形成され鍵並び方向において複数鍵域に亘って一体に連続する部分であって、且つ、直接またはフレーム機能部を介して外力を受ける部分、及び／又は、フレーム４０とは別体に構成される構成要素が取り付けられる部分」である。
【００５０】
図２（ｂ）、図３に示すように、フレーム４０には、フレーム４０の内部を障害物なく前方に開放する開口部ＯＰが形成される。すなわち、ストッパ取付部４７の下面４７ａ及び前側支持部４１の上面４１ａは水平な面であり、これらの面と、隣接する縦リブ４６とで、開口部ＯＰが形成される（図２（ｂ）参照）。図３に示すように、ストッパ取付部４７の下面４７ａ、前側支持部４１の上面４１ａが、それぞれ、開口部ＯＰの上限位置、下限位置となる。上下方向において、これら上限位置、下限位置の間に、ハンマ回動軸４３が位置する。これら上限位置、下限位置の上下方向における間隔を「開口部上下幅Ｈｆ」と記す。
【００５１】
前後方向においては、ストッパ取付部４７の下面４７ａは前側支持部４１の上面４１ａよりも前方に位置する。そのため、開口部ＯＰは、前方だけでなく下方にも開口しているといえる。
【００５２】
フレーム４０単体を正面からみると、ハンマ回動軸４３が開口部ＯＰを通じて視認される（図２（ｂ）参照）。ハンマ回動軸４３が視認可能な上方向の限界角度は、ハンマ回動軸４３と、下面４７ａのうちの最前位置Ｐ１（図３参照）との位置関係で決まる。図３に示すように、側面視において、最前位置Ｐ１とハンマ回動軸４３とを結ぶ線分Ｌ１と、ハンマ回動軸４３を通る前後方向に平行な線分Ｌ０とが前側において成す鋭角である角度θは、２０°となっている。後述する、ハンマ体３０の挿入や組み付け作業を容易にする観点からは、角度θは１５°以上であることが望ましい。
【００５３】
図４（ａ）〜（ｃ）は、ハンマ体３０をフレーム４０に回動自在に配設する作業工程を示すフレーム４０の側面図である。ハンマ体３０は、組み付け行程において、フレーム４０の内部に開口部ＯＰを通じて前側から挿入される。
【００５４】
ハンマ体３０の上下方向における最大縦幅をＨｈとする（図４（ａ）参照）。最大縦幅Ｈｈに比し、開口部上下幅Ｈｆの方が大きい。ここで、ハンマ体３０は、前方延設部３０ｆから後方延設部３０ｒにかけて、ハンマ体３０の上面３０ａの大半が、面一で且つハンマ体３０の長手方向に平行である。そこで、最大縦幅Ｈｈの定義としては、ハンマ体３０が、フレーム４０のハンマ回動軸４３に回動自在に支持され、ハンマ体３０の長手方向が前後方向に平行になった状態における上下方向における最大縦幅であるとする。具体的には、係合凹部３１を含む領域の上下方向の幅となる。しかし、厳密には、質量部３２が上面３０ａよりも上方に突出しているような場合や上面３０ａに対して凸部となる部分を有する場合は、質量部３２や凸部の上面を、最大縦幅Ｈｈの上限位置とみなすのが望ましい。
【００５５】
図２（ｂ）に示すように、２つの開口部ＯＰはいずれも、鍵並び方向において、複数の鍵域に亘って連続して開口している（ハンマ体３０の複数の分の領域に跨って形成されている）。従って、当然に、各開口部ＯＰの鍵並び方向における横幅Ｂｆは、ハンマ体３０の鍵並び方向における最大横幅Ｂｈ（図２（ａ）参照）に比し十分に大きい。
【００５６】
かかる構成において、ハンマ体３０をフレーム４０に組み付ける際には、ハンマ体３０の長手方向を前後方向にほぼ平行にした姿勢で、ハンマ体３０を前側から開口部ＯＰを通じて挿入していく（図４（ａ）、（ｂ）参照）。ここで、初期ストッパ４８は既にストッパ取付部４７に取り付けられているが、初期ストッパ４８の下方に開口部ＯＰの大半が形成されるので、ハンマ体３０の組み付け時に初期ストッパ４８が邪魔になりにくい。
【００５７】
ただし、ハンマ体３０の最大縦幅Ｈｈに比し開口部上下幅Ｈｆに余裕がない場合は、ハンマ体３０を装着した後に初期ストッパ４８を取り付けるようにしてもよい。あるいは、上下方向における初期ストッパ４８の下面４８ａと前側支持部４１の上面４１ａとの間隔を、ハンマ体３０の最大縦幅Ｈｈに比し大きく構成してもよい。そのようにすれば、ストッパ取付部４７が取り付けられた状態でも、ハンマ体３０を前後方向に平行にした姿勢のまま後方に移動させて組み付けることが可能となる。
【００５８】
ハンマ体３０の係合凹部３１が後方に開口しているので、ハンマ体３０を後方に平行移動させていくと、係合凹部３１がハンマ回動軸４３に自然に嵌合される（図４（ｃ）参照）。ハンマ体３０の挿入開始から係合凹部３１をハンマ回動軸４３に嵌合させるまで、ハンマ体３０の上下方向（図４の時計方向）の角度を変化させる必要はなく、ハンマ体３０の姿勢をあまり変えることなくほぼ平行移動だけで組み付けることが容易である。
【００５９】
開口部ＯＰを前後方向に着目してみると、図３に示すように、鍵ガイド部５０の位置は、開口部ＯＰの上限位置であるストッパ取付部４７の下面４７ａよりも上方である。従って、ハンマ体３０の組み付け時に鍵ガイド部５０が邪魔になることがなく、ハンマ体３０の挿入や組み付け作業が行いやすい。
【００６０】
本実施の形態によれば、ハンマ体３０の組み付けの際に、前側から開口部ＯＰを通じてハンマ体３０をフレーム４０の内部に挿入することが可能であるので、ハンマ体３０の組み付け作業を容易にすることができる。特に、ハンマ体３０の最大縦幅Ｈｈに比し、開口部ＯＰの開口部上下幅Ｈｆの方が大きいので（図３、図４（ａ）参照）、ハンマ体３０を、その回動方向における角度を変えながら挿入する必要がない。
【００６１】
しかも、開口部ＯＰの横幅Ｂｆは、ハンマ体３０の最大横幅Ｂｈに比し十分に大きいので（図２（ｂ）参照）、ハンマ体３０を、その鍵並び方向における角度を変えながら挿入する必要もない。従って、ハンマ体３０を、その長手方向が前後方向に平行な状態のままフレーム４０の内部に簡単に挿入することができる。さらに、開口部ＯＰは、複数の鍵域に亘って連続して開口しているので、十分な開口面積が確保される共に、複数のハンマ体３０を同時にフレーム４０の内部に挿入することが可能となる。
【００６２】
さらには、開口部ＯＰにおいて、線分Ｌ１と線分Ｌ０とが前側において成す鋭角（角度θ）が２０°も確保されているので（図３参照）、作業者はフレーム４０の前側からハンマ回動軸４３を視認しやすく、ハンマ体３０の係合凹部３１を嵌合させる際の見当を付けやすい。また、角度θが大きいことと、開口部ＯＰが下方にも開口していることから、ハンマ体３０の挿入時の上下方向の角度の自由度が高くなり、ハンマ体３０の挿入や組み付け作業が行いやすい。
【００６３】
なお、ハンマ体３０の係合凹部３１とフレーム４０のハンマ回動軸４３との雄雌関係は、逆にしてもよい。
【００６４】
なお、フレーム４０は、必ずしも全体が樹脂で一体に形成されている必要はなく、一体連続部や縦リブ４６等の基本部分が樹脂で一体に形成されていればよい。従って、フレーム４０は、部分的に別体、あるいは一部が別の素材で形成されていてもよい。
【図面の簡単な説明】
【００６５】
【図１】本発明の一実施の形態に係る鍵盤装置の内部構成を示す側面図である。
【図２】フレームの平面図（図（ａ））、正面図（図（ｂ））である。
【図３】図２（ａ）のＡ−Ａ線に沿う断面図である。
【図４】ハンマ体をフレームに回動自在に配設する作業工程を示すフレームの側面図（図（ａ）〜（ｃ））である。
【符号の説明】
【００６６】
１０  白鍵、  １９  棚板（楽器本体）、  ２０  黒鍵、  ３０  ハンマ体、  ３１  係合凹部（係合部）、  ３０ｒ  後方延設部（後部）、  ４０  フレーム、  ４１  前側支持部、  ４１ａ  上面（下限位置）、  ４３  ハンマ回動軸（ハンマ支持部）、  ４７  ストッパ取付部、  ４７ａ  下面（上限位置）、  ４８  初期ストッパ（ストッパ部）、  ４８ａ  下面、  ５０  鍵ガイド部、  ５３  鍵支持部、  ＯＰ  開口部、  Ｈｈ  最大縦幅、  Ｈｆ  開口部上下幅（間隔）、  Ｂｆ  横幅、  Ｂｈ  最大横幅、  Ｐ１  最前位置、  Ｌ１  線分、  Ｌ０  線分
【図１】
2010078791.tif 000003
【図２】
2010078791.tif 000004
【図３】
2010078791.tif 000005
【図４】
2010078791.tif 000006